(57)【要約】【課題】プレスＤＶＤを作成する前に、当該プレスＤＶＤに記録するためのコンテンツデータが記録されているディスクメディア上で予め動作確認をすることができる光ディスク動作確認方法、光ディスク作成方法、光ディスク作成システムおよびプログラムを提供する。【解決手段】コンテンツ情報をオーサリング用コンピュータ１０によって再生専用光ディスクと記憶容量が同等以上の大容量光ディスク装置１２ｂに記録し、大容量光ディスク装置１２ｂに記録されたコンテンツ情報を大容量光ディスク装置１２ｂを用いて再生することにより、再生専用光ディスクにコンテンツ情報が記録された際の正常動作を確認する。【選択図】    図１
2004295979.tif 000002
【特許請求の範囲】
【請求項１】
コンテンツ情報が再生専用光ディスクにプレス記録された際に正常に動作するかどうかを前記プレス記録の前に確認する光ディスク動作確認方法であって、
前記コンテンツ情報を前記再生専用光ディスクと記憶容量が同等以上の記録用光ディスクに記録するコンテンツ情報記録工程と、
前記記録用光ディスクに記録されたコンテンツ情報を当該記録用光ディスクを用いて再生することにより、前記再生専用光ディスクに前記コンテンツ情報が記録された際の正常動作を確認する動作確認工程と、
を具備することを特徴とする光ディスク動作確認方法。
【請求項２】
２層の記憶領域層を有する再生専用光ディスクにコンテンツ情報がプレス記録された際に正常に動作するかどうかを前記プレス記録の前に確認する光ディスク動作確認方法であって、
前記再生専用光ディスクが有する２層の記憶領域の内、１層分の記憶領域より多い前記コンテンツ情報を前記再生専用光ディスクと記憶容量が同等以上で記憶領域層からなる記録用光ディスクに記録するコンテンツ情報記録工程と、
前記記録用光ディスクに記録されたコンテンツ情報を当該記録用光ディスクを用いて再生することにより、前記再生専用光ディスクに前記コンテンツ情報が記録された際の正常動作を確認する動作確認工程と、
を具備することを特徴とする光ディスク動作確認方法。
【請求項３】
２層の記憶領域層を有する再生専用光ディスクにコンテンツ情報がプレス記録された際に正常に動作するかどうかを前記プレス記録の前に確認する光ディスク動作確認方法であって、
前記再生専用光ディスクが有する２層の記憶領域の内、１層分の記憶領域より多い前記コンテンツ情報、および前記再生専用光ディスクの構成情報を前記再生専用光ディスクと記憶容量が同等以上で記憶領域層からなる記録用光ディスクに記録するコンテンツ情報記録工程と、
前記記録用光ディスクに記録されたコンテンツ情報を前記再生専用光ディスクの構成情報に基づいて当該記録用光ディスクを用いて再生することにより、前記再生専用光ディスクに前記コンテンツ情報が記録された際の正常動作を確認する動作確認工程と、
を具備することを特徴とする光ディスク動作確認方法。
【請求項４】
２層の記憶領域層を有する再生専用光ディスクにコンテンツ情報がプレス記録された際に正常に動作するかどうかを前記プレス記録の前に確認する光ディスク動作確認方法であって、
複数の再生専用光ディスクにプレス記録するためのコンテンツ情報、前記複数の再生専用光ディスクを識別するための識別情報および前記再生専用光ディスクの構成情報を前記再生専用光ディスクと記憶容量が同等以上で記憶領域層からなる記録用光ディスクに記録するコンテンツ情報記録工程と、
前記記録用光ディスクに記録されたコンテンツ情報を前記識別情報および前記再生専用光ディスクの構成情報に基づいて当該記録用光ディスクを用いて再生することにより、前記再生専用光ディスクに前記コンテンツ情報が記録された際の正常動作を確認する動作確認工程と、
を具備することを特徴とする光ディスク動作確認方法。
【請求項５】
コンテンツ情報を再生専用光ディスクにプレス記録して光ディスクを作成するための光ディスク作成方法であって、
前記コンテンツ情報を前記再生専用光ディスクと記憶容量が同等以上の記録用光ディスクに記録するコンテンツ情報記録工程と、
前記記録用光ディスクに記録されたコンテンツ情報を前記再生専用光ディスクにプレス記録するプレス工程と、
を具備することを特徴とする光ディスク作成方法。
【請求項６】
コンテンツ情報を２層の記憶領域層を有する再生専用光ディスクにプレス記録する光ディスク作成方法であって、
前記再生専用光ディスクが有する２層の記憶領域の内、１層分の記憶領域より多い前記コンテンツ情報を前記再生専用光ディスクと記憶容量が同等以上で記憶領域層からなる記録用光ディスクに記録するコンテンツ情報記録工程と、
前記記録用光ディスクに記録されたコンテンツ情報を前記再生専用光ディスクにプレス記録するプレス工程と、
を具備することを特徴とする光ディスク作成方法。
【請求項７】
コンテンツ情報を２層の記憶領域層を有する再生専用光ディスクにプレス記録する光ディスク作成方法であって、
前記再生専用光ディスクが有する２層の記憶領域の内、１層分の記憶領域より多い前記コンテンツ情報、および前記再生専用光ディスクの構成情報を前記再生専用光ディスクと記憶容量が同等以上で記憶領域層からなる記録用光ディスクに記録するコンテンツ情報記録工程と、
前記記録用光ディスクに記録されたコンテンツ情報を前記再生専用光ディスクの構成情報に基づいて前記再生専用光ディスクにプレス記録するプレス工程と、を具備することを特徴とする光ディスク作成方法。
【請求項８】
コンテンツ情報を２層の記憶領域層を有する再生専用光ディスクにプレス記録する光ディスク作成方法であって、
複数の再生専用光ディスクにプレス記録するためのコンテンツ情報、前記複数の再生専用光ディスクを識別するための識別情報および前記再生専用光ディスクの構成情報を前記再生専用光ディスクと記憶容量が同等以上で記憶領域層からなる記録用光ディスクに記録するコンテンツ情報記録工程と、
前記記録用光ディスクに記録されたコンテンツ情報を前記識別情報および前記再生専用光ディスクの構成情報に基づいて前記再生専用光ディスクにプレス記録するプレス工程と、
を具備することを特徴とする光ディスク作成方法。
【請求項９】
コンテンツ情報にオーサリング処理を施し、再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、
前記オーサリング装置は、
前記コンテンツ情報を前記再生専用光ディスクと記憶容量が同等以上の前記記録用光ディスクに記録するコンテンツ情報記録手段と、
前記記録用光ディスクに記録されたコンテンツ情報を当該記録用光ディスクを用いて再生することにより、前記再生専用光ディスクに前記コンテンツ情報が記録された際の正常動作を確認する動作確認手段とを備え、
前記プレス処理装置は、
前記記録用光ディスクから前記再生専用光ディスクをプレス処理して作成するプレス処理手段を備える
ことを特徴とする光ディスク作成システム。
【請求項１０】
コンテンツ情報にオーサリング処理を施し、２層の記憶領域層を有する再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、
前記オーサリング装置は、
前記再生専用光ディスクが有する２層の記憶領域の内、１層分の記憶領域より多い前記コンテンツ情報を前記再生専用光ディスクと記憶容量が同等以上で記憶領域層からなる記録用光ディスクに記録するコンテンツ情報記録手段と、
前記記録用光ディスクに記録されたコンテンツ情報を当該記録用光ディスクを用いて再生することにより、前記再生専用光ディスクに前記コンテンツ情報が記録された際の正常動作を確認する動作確認手段とを備え、
前記プレス処理装置は、
前記記録用光ディスクから前記再生専用光ディスクをプレス処理して作成するプレス処理手段を備える
ことを特徴とする光ディスク作成システム。
【請求項１１】
コンテンツ情報にオーサリング処理を施し、２層の記憶領域層を有する再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、
前記オーサリング装置は、
前記再生専用光ディスクが有する２層の記憶領域の内、１層分の記憶領域より多い前記コンテンツ情報、および前記再生専用光ディスクの構成情報を前記再生専用光ディスクと記憶容量が同等以上で記憶領域層からなる記録用光ディスクに記録するコンテンツ情報記録手段と、
前記記録用光ディスクに記録されたコンテンツ情報を前記再生専用光ディスクの構成情報に基づいて当該記録用光ディスクを用いて再生することにより、前記再生専用光ディスクに前記コンテンツ情報が記録された際の正常動作を確認する動作確認手段とを備え、
前記プレス処理装置は、
前記記録用光ディスクから前記再生専用光ディスクをプレス処理して作成するプレス処理手段を備える
ことを特徴とする光ディスク作成システム。
【請求項１２】
コンテンツ情報にオーサリング処理を施し、２層の記憶領域層を有する再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、
前記オーサリング装置は、
複数の再生専用光ディスクにプレス記録するためのコンテンツ情報、前記複数の再生専用光ディスクを識別するための識別情報および前記再生専用光ディスクの構成情報を前記再生専用光ディスクと記憶容量が同等以上で記憶領域層からなる記録用光ディスクに記録するコンテンツ情報記録手段と、
前記記録用光ディスクに記録されたコンテンツ情報を前記識別情報および前記再生専用光ディスクの構成情報に基づいて当該記録用光ディスクを用いて再生することにより、前記再生専用光ディスクに前記コンテンツ情報が記録された際の正常動作を確認する動作確認手段とを備え、
前記プレス処理装置は、
前記記録用光ディスクから前記再生専用光ディスクをプレス処理して作成するプレス処理手段を備える
ことを特徴とする光ディスク作成システム。
【請求項１３】
コンテンツ情報が再生専用光ディスクにプレス記録された際に正常に動作するかどうかを前記プレス記録の前に確認する光ディスク動作確認プログラムであって、
前記コンテンツ情報を前記再生専用光ディスクと記憶容量が同等以上の記録用光ディスクに記録するコンテンツ情報記録手順、
前記記録用光ディスクに記録されたコンテンツ情報を当該記録用光ディスクを用いて再生することにより、前記再生専用光ディスクに前記コンテンツ情報が記録された際の正常動作を確認する動作確認手順、
をコンピュータ装置に実現させるための光ディスク動作確認プログラム。
【発明の詳細な説明】
【０００１】
【発明の属する技術分野】
本発明は、光ディスクの作成技術に係り、特に２層構造のＤＶＤビデオフォーマットの光ディスクを作成するための光ディスク動作確認方法、光ディスク作成方法、光ディスク作成システムおよびプログラムに関する。
【０００２】
【従来の技術】
近年、映画やビデオ等を記録、保存する記録媒体としてＤＶＤ（Ｄｉｇｉｔａｌ  Ｖｅｒｓａｔｉｌｅ  Ｄｉｓｃ）が普及してきている。このＤＶＤの内、映画やビデオ等の動画を保存する形式として、ＤＶＤ  Ｖｉｄｅｏ形式がある。このようなＤＶＤ  Ｖｉｄｅｏ形式のＤＶＤを作成する際には、当該ＤＶＤに記録するコンテンツデータを作成後、編集およびフォーマット変換等のオーサリング処理を行い、ＤＬＴ（Ｄｉｇｉｔａｌ  Ｌｉｎｅａｒ  Ｔａｐｅ）に記録する。そしてこのＤＬＴに記録されたコンテンツデータをＤＶＤに記録、プレス処理し、プレスＤＶＤ（再生専用）を作成する。上記ＤＶＤ  Ｖｉｄｅｏ形式の場合、ＤＶＤディスクに記録する記録容量が、４．７ＧＢ〜１７ＧＢまで規定されているが、記録用のＤＶＤ−Ｒでは４．７ＧＢと容量が足りないため、４０ＧＢ程度以上の記憶容量を持っているＤＬＴを使用している。そして、プレスされたＤＶＤを再生し、動作確認処理を行う。万が一、この動作確認処理で、ＤＶＤの動作が正常でないと判定された場合には、上記オーサリング処理に戻り、再びＤＬＴに記録し、プレスＤＶＤを作成する。そして再度、動作確認処理を行うという手順を行っている（例えば、特許文献１、２を参照）。
【０００３】
【特許文献１】
特開平１１−４６３４７号公報。
【０００４】
【特許文献２】
特開平１１−２４６３９号公報。
【０００５】
【発明が解決しようとする課題】
以上のようなＤＶＤ作成工程であると、プレスＤＶＤを作成するためのコンテンツデータを記録している記録媒体がテープメディアであるＤＬＴであるため、光ディスクのようにランダムアクセスができない。このため、作成するプレスＤＶＤの再生の動作確認をすることができず、当該プレスＤＶＤを作成した後に動作確認を行うこととなる。従って、この動作確認の際に、動作が正常でないと判定されると、再度、オーサリング工程に戻り、再びＤＬＴへの記録をやり直すこととなり、作業が繁雑であった。また大容量のＨＤＤ（ハードディスク）を用いた場合はランダムアクセスが可能であるが、当該ＨＤＤは、光ディスクメディアでないため、プレス前のＤＶＤの動作確認として、光ディスク上で正常に動作するかどうかという動作確認は行えない。
【０００６】
本発明は上記事情に着目してなされたもので、その目的とするところは、プレスＤＶＤを作成する前に、当該プレスＤＶＤに記録するためのコンテンツデータが記録されている光ディスクメディア上で予め動作確認をすることができる光ディスク動作確認方法、光ディスク作成方法、光ディスク作成システムおよびプログラムを提供することにある。
【０００７】
【課題を解決するための手段】
上記目的を達成するために本発明は、コンテンツ情報が再生専用光ディスクにプレス記録された際に正常に動作するかどうかを前記プレス記録の前に確認する光ディスク動作確認方法であって、前記コンテンツ情報を前記再生専用光ディスクと記憶容量が同等以上の記録用光ディスクに記録するコンテンツ情報記録工程と、前記記録用光ディスクに記録されたコンテンツ情報を当該記録用光ディスクを用いて再生することにより、前記再生専用光ディスクに前記コンテンツ情報が記録された際の正常動作を確認する動作確認工程とを具備することを特徴とする光ディスク動作確認方法である。
【０００８】
したがって本発明によれば、コンテンツ情報が再生専用光ディスクと記憶容量が同等以上の記録用光ディスクに記録され、記録用光ディスクに記録されたコンテンツ情報が前記記録用光ディスクを用いて再生されることにより、再生専用光ディスクに前記コンテンツ情報が記録された際の正常動作が確認される。このため、プレスＤＶＤを作成する前に、当該プレスＤＶＤに記録するためのコンテンツデータが記録されている光ディスクメディア上で予め動作確認をすることができる。
【０００９】
また、本発明は、２層の記憶領域層を有する再生専用光ディスクにコンテンツ情報がプレス記録された際に正常に動作するかどうかを前記プレス記録の前に確認する光ディスク動作確認方法であって、前記再生専用光ディスクが有する２層の記憶領域の内、１層分の記憶領域より多い前記コンテンツ情報を前記再生専用光ディスクと記憶容量が同等以上で１層の記憶領域層からなる記録用光ディスクに記録するコンテンツ情報記録工程と、前記記録用光ディスクに記録されたコンテンツ情報を当該記録用光ディスクを用いて再生することにより、前記再生専用光ディスクに前記コンテンツ情報が記録された際の正常動作を確認する動作確認工程とを具備することを特徴とする光ディスク動作確認方法である。
【００１０】
したがって本発明によれば、再生専用光ディスクが有する２層の記憶領域の内、１層分の記憶領域より多い前記コンテンツ情報が再生専用光ディスクと記憶容量が同等以上で１層の記憶領域層からなる記録用光ディスクに記録され、記録用光ディスクに記録されたコンテンツ情報が当該記録用光ディスクを用いて再生されることにより、再生専用光ディスクに前記コンテンツ情報が記録された際の正常動作が確認される。このため、２層構造のプレスＤＶＤを作成する前に、当該プレスＤＶＤに記録するためのコンテンツデータが記録されているプレスＤＶＤよりも容量の大きい光ディスクメディア上で予め動作確認をすることができる。
【００１１】
また、本発明は、２層の記憶領域層を有する再生専用光ディスクにコンテンツ情報がプレス記録された際に正常に動作するかどうかを前記プレス記録の前に確認する光ディスク動作確認方法であって、前記再生専用光ディスクが有する２層の記憶領域の内、１層分の記憶領域より多い前記コンテンツ情報、および前記再生専用光ディスクの構成情報を前記再生専用光ディスクと記憶容量が同等以上で１層の記憶領域層からなる記録用光ディスクに記録するコンテンツ情報記録工程と、前記記録用光ディスクに記録されたコンテンツ情報を前記再生専用光ディスクの構成情報に基づいて当該記録用光ディスクを用いて再生することにより、前記再生専用光ディスクに前記コンテンツ情報が記録された際の正常動作を確認する動作確認工程とを具備することを特徴とする光ディスク動作確認方法である。
【００１２】
したがって本発明によれば、再生専用光ディスクが有する２層の記憶領域の内、１層分の記憶領域より多い前記コンテンツ情報、および前記再生専用光ディスクの構成情報が前記再生専用光ディスクと記憶容量が同等以上で１層の記憶領域層からなる記録用光ディスクに記録され、前記記録用光ディスクに記録されたコンテンツ情報が前記再生専用光ディスクの構成情報に基づいて当該記録用光ディスクを用いて再生されることにより、前記再生専用光ディスクに前記コンテンツ情報が記録された際の正常動作が確認される。このため、２層構造のプレスＤＶＤを作成する前に、当該プレスＤＶＤに記録するためのコンテンツデータが記録されているプレスＤＶＤよりも容量の大きい光ディスクメディア上で予め動作確認をすることができる。
【００１３】
また、本発明は、２層の記憶領域層を有する再生専用光ディスクにコンテンツ情報がプレス記録された際に正常に動作するかどうかを前記プレス記録の前に確認する光ディスク動作確認方法であって、複数の再生専用光ディスクにプレス記録するためのコンテンツ情報、前記複数の再生専用光ディスクを識別するための識別情報および前記再生専用光ディスクの構成情報を前記再生専用光ディスクと記憶容量が同等以上で１層の記憶領域層からなる記録用光ディスクに記録するコンテンツ情報記録工程と、前記記録用光ディスクに記録されたコンテンツ情報を前記識別情報および前記再生専用光ディスクの構成情報に基づいて当該記録用光ディスクを用いて再生することにより、前記再生専用光ディスクに前記コンテンツ情報が記録された際の正常動作を確認する動作確認工程とを具備することを特徴とする光ディスク動作確認方法である。
【００１４】
したがって本発明によれば、複数の再生専用光ディスクにプレス記録するためのコンテンツ情報、前記複数の再生専用光ディスクを識別するための識別情報および前記再生専用光ディスクの構成情報が前記再生専用光ディスクと記憶容量が同等以上で１層の記憶領域層からなる記録用光ディスクに記録され、前記記録用光ディスクに記録されたコンテンツ情報を前記識別情報および前記再生専用光ディスクの構成情報に基づいて当該記録用光ディスクを用いて再生されることにより、前記再生専用光ディスクに前記コンテンツ情報が記録された際の正常動作が確認される。このため、複数のプレスＤＶＤを作成する前に、これらのプレスＤＶＤに記録するためのコンテンツデータよりも容量の大きい光ディスクメディア上で予めコンテンツデータの動作確認をすることができる。
【００１５】
また、本発明は、コンテンツ情報を再生専用光ディスクにプレス記録して光ディスクを作成するための光ディスク作成方法であって、前記コンテンツ情報を前記再生専用光ディスクと記憶容量が同等以上の記録用光ディスクに記録するコンテンツ情報記録工程と、前記記録用光ディスクに記録されたコンテンツ情報を前記再生専用光ディスクにプレス記録するプレス工程とを具備することを特徴とする光ディスク作成方法である。
【００１６】
したがって本発明によれば、コンテンツ情報が再生専用光ディスクと記憶容量が同等以上の記録用光ディスクに記録され、前記記録用光ディスクに記録されたコンテンツ情報が前記再生専用光ディスクにプレス記録される。このため、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００１７】
また、本発明は、コンテンツ情報を２層の記憶領域層を有する再生専用光ディスクにプレス記録する光ディスク作成方法であって、前記再生専用光ディスクが有する２層の記憶領域の内、１層分の記憶領域より多い前記コンテンツ情報を前記再生専用光ディスクと記憶容量が同等以上で１層の記憶領域層からなる記録用光ディスクに記録するコンテンツ情報記録工程と、前記記録用光ディスクに記録されたコンテンツ情報を前記再生専用光ディスクにプレス記録するプレス工程とを具備することを特徴とする光ディスク作成方法である。
【００１８】
したがって本発明によれば、再生専用光ディスクが有する２層の記憶領域の内、１層分の記憶領域より多い前記コンテンツ情報が再生専用光ディスクと記憶容量が同等以上で１層の記憶領域層からなる記録用光ディスクに記録され、前記記録用光ディスクに記録されたコンテンツ情報が前記再生専用光ディスクにプレス記録される。このため、２層構造のプレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００１９】
また、本発明は、コンテンツ情報を２層の記憶領域層を有する再生専用光ディスクにプレス記録する光ディスク作成方法であって、前記再生専用光ディスクが有する２層の記憶領域の内、１層分の記憶領域より多い前記コンテンツ情報、および前記再生専用光ディスクの構成情報を前記再生専用光ディスクと記憶容量が同等以上で１層の記憶領域層からなる記録用光ディスクに記録するコンテンツ情報記録工程と、前記記録用光ディスクに記録されたコンテンツ情報を前記再生専用光ディスクの構成情報に基づいて前記再生専用光ディスクにプレス記録するプレス工程とを具備することを特徴とする光ディスク作成方法である。
【００２０】
したがって本発明によれば、再生専用光ディスクが有する２層の記憶領域の内、１層分の記憶領域より多い前記コンテンツ情報、および前記再生専用光ディスクの構成情報が前記再生専用光ディスクと記憶容量が同等以上で１層の記憶領域層からなる記録用光ディスクに記録され、前記記録用光ディスクに記録されたコンテンツ情報が前記再生専用光ディスクの構成情報に基づいて前記再生専用光ディスクにプレス記録される。このため、２層構造のプレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００２１】
また、本発明は、コンテンツ情報を２層の記憶領域層を有する再生専用光ディスクにプレス記録する光ディスク作成方法であって、複数の再生専用光ディスクにプレス記録するためのコンテンツ情報、前記複数の再生専用光ディスクを識別するための識別情報および前記再生専用光ディスクの構成情報を前記再生専用光ディスクと記憶容量が同等以上で１層の記憶領域層からなる記録用光ディスクに記録するコンテンツ情報記録工程と、前記記録用光ディスクに記録されたコンテンツ情報を前記識別情報および前記再生専用光ディスクの構成情報に基づいて前記再生専用光ディスクにプレス記録するプレス工程とを具備することを特徴とする光ディスク作成方法である。
【００２２】
したがって本発明によれば、複数の再生専用光ディスクにプレス記録するためのコンテンツ情報、前記複数の再生専用光ディスクを識別するための識別情報および前記再生専用光ディスクの構成情報が前記再生専用光ディスクと記憶容量が同等以上で１層の記憶領域層からなる記録用光ディスクに記録され、前記記録用光ディスクに記録されたコンテンツ情報を前記識別情報および前記再生専用光ディスクの構成情報に基づいて前記再生専用光ディスクにプレス記録される。このため、複数のプレスＤＶＤを作成する前に、これらのプレスＤＶＤに記録するためのコンテンツデータが記録されているプレスＤＶＤよりも容量の大きい光ディスクメディア上で予め動作確認をした上でプレスＤＶＤを作成することができる。
【００２３】
また、本発明は、コンテンツ情報にオーサリング処理を施し、再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、前記オーサリング装置は、前記コンテンツ情報を前記再生専用光ディスクと記憶容量が同等以上の前記記録用光ディスクに記録するコンテンツ情報記録手段と、前記記録用光ディスクに記録されたコンテンツ情報を当該記録用光ディスクを用いて再生することにより、前記再生専用光ディスクに前記コンテンツ情報が記録された際の正常動作を確認する動作確認手段とを備え、前記プレス処理装置は、前記記録用光ディスクから前記再生専用光ディスクをプレス処理して作成するプレス処理手段を備えることを特徴とする光ディスク作成システムである。
【００２４】
したがって本発明によれば、コンテンツ情報を再生専用光ディスクと記憶容量が同等以上の前記記録用光ディスクに記録し、記録用光ディスクに記録されたコンテンツ情報を当該記録用光ディスクを用いて再生することにより、前記再生専用光ディスクに前記コンテンツ情報が記録された際の正常動作を確認するオーサリング装置と、記録用光ディスクから再生専用光ディスクをプレス処理して作成するプレス処理装置とを備える。このため、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００２５】
また、本発明は、コンテンツ情報にオーサリング処理を施し、２層の記憶領域層を有する再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、前記オーサリング装置は、前記再生専用光ディスクが有する２層の記憶領域の内、１層分の記憶領域より多い前記コンテンツ情報を前記再生専用光ディスクと記憶容量が同等以上で１層の記憶領域層からなる記録用光ディスクに記録するコンテンツ情報記録手段と、前記記録用光ディスクに記録されたコンテンツ情報を当該記録用光ディスクを用いて再生することにより、前記再生専用光ディスクに前記コンテンツ情報が記録された際の正常動作を確認する動作確認手段とを備え、前記プレス処理装置は、前記記録用光ディスクから前記再生専用光ディスクをプレス処理して作成するプレス処理手段を備えることを特徴とする光ディスク作成システムである。
【００２６】
したがって本発明によれば、再生専用光ディスクが有する２層の記憶領域の内、１層分の記憶領域より多い前記コンテンツ情報が前記再生専用光ディスクと記憶容量が同等以上で１層の記憶領域層からなる記録用光ディスクに記録され、前記記録用光ディスクに記録されたコンテンツ情報を当該記録用光ディスクを用いて再生することにより、前記再生専用光ディスクに前記コンテンツ情報が記録された際の正常動作が確認されるオーサリング装置と、前記記録用光ディスクから前記再生専用光ディスクがプレス処理されて作成されるプレス処理装置とを備える。このため、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００２７】
また、本発明は、コンテンツ情報にオーサリング処理を施し、２層の記憶領域層を有する再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、前記オーサリング装置は、前記再生専用光ディスクが有する２層の記憶領域の内、１層分の記憶領域より多い前記コンテンツ情報、および前記再生専用光ディスクの構成情報を前記再生専用光ディスクと記憶容量が同等以上で１層の記憶領域層からなる記録用光ディスクに記録するコンテンツ情報記録手段と、前記記録用光ディスクに記録されたコンテンツ情報を前記再生専用光ディスクの構成情報に基づいて当該記録用光ディスクを用いて再生することにより、前記再生専用光ディスクに前記コンテンツ情報が記録された際の正常動作を確認する動作確認手段とを備え、前記プレス処理装置は、前記記録用光ディスクから前記再生専用光ディスクをプレス処理して作成するプレス処理手段を備えることを特徴とする光ディスク作成システムである。
【００２８】
したがって本発明によれば、再生専用光ディスクが有する２層の記憶領域の内、１層分の記憶領域より多い前記コンテンツ情報、および前記再生専用光ディスクの構成情報が前記再生専用光ディスクと記憶容量が同等以上で１層の記憶領域層からなる記録用光ディスクに記録され、前記記録用光ディスクに記録されたコンテンツ情報を前記再生専用光ディスクの構成情報に基づいて当該記録用光ディスクを用いて再生することにより、前記再生専用光ディスクに前記コンテンツ情報が記録された際の正常動作が確認されるオーサリング装置と、前記記録用光ディスクから前記再生専用光ディスクがプレス処理されて作成されるプレス処理装置とを備える。このため、２層構造のプレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００２９】
また、本発明は、コンテンツ情報にオーサリング処理を施し、２層の記憶領域層を有する再生専用光ディスク作成のためのプレス処理に用いる記録用光ディスクを作成するオーサリング装置と、前記記録用光ディスクから再生専用光ディスクをプレス処理して作成するためのプレス処理装置とを備える光ディスク作成システムであって、前記オーサリング装置は、複数の再生専用光ディスクにプレス記録するためのコンテンツ情報、前記複数の再生専用光ディスクを識別するための識別情報および前記再生専用光ディスクの構成情報を前記再生専用光ディスクと記憶容量が同等以上で１層の記憶領域層からなる記録用光ディスクに記録するコンテンツ情報記録手段と、前記記録用光ディスクに記録されたコンテンツ情報を前記識別情報および前記再生専用光ディスクの構成情報に基づいて当該記録用光ディスクを用いて再生することにより、前記再生専用光ディスクに前記コンテンツ情報が記録された際の正常動作を確認する動作確認手段とを備え、前記プレス処理装置は、前記記録用光ディスクから前記再生専用光ディスクをプレス処理して作成するプレス処理手段を備えることを特徴とする光ディスク作成システムである。
【００３０】
したがって本発明によれば、複数の再生専用光ディスクにプレス記録するためのコンテンツ情報、前記複数の再生専用光ディスクを識別するための識別情報および前記再生専用光ディスクの構成情報が前記再生専用光ディスクと記憶容量が同等以上で１層の記憶領域層からなる記録用光ディスクに記録され、前記記録用光ディスクに記録されたコンテンツ情報を前記識別情報および前記再生専用光ディスクの構成情報に基づいて当該記録用光ディスクを用いて再生することにより、前記再生専用光ディスクに前記コンテンツ情報が記録された際の正常動作が確認されるオーサリング装置と、前記記録用光ディスクから前記再生専用光ディスクがプレス処理されて作成されるプレス処理装置とを備える。このため、複数のプレスＤＶＤを作成する前に、これらのプレスＤＶＤに記録するためのコンテンツデータが記録されているプレスＤＶＤよりも容量の大きい光ディスクメディア上で予め動作確認をした上でプレスＤＶＤを作成することができる。
【００３１】
また、本発明は、コンテンツ情報が再生専用光ディスクにプレス記録された際に正常に動作するかどうかを前記プレス記録の前に確認する光ディスク動作確認プログラムであって、前記コンテンツ情報を前記再生専用光ディスクと記憶容量が同等以上の記録用光ディスクに記録するコンテンツ情報記録手順、前記記録用光ディスクに記録されたコンテンツ情報を当該記録用光ディスクを用いて再生することにより、前記再生専用光ディスクに前記コンテンツ情報が記録された際の正常動作を確認する動作確認手順をコンピュータ装置に実現させるための光ディスク動作確認プログラムである。
【００３２】
したがって本発明によれば、コンテンツ情報が再生専用光ディスクと記憶容量が同等以上の記録用光ディスクに記録され、記録用光ディスクに記録されたコンテンツ情報が当該記録用光ディスクを用いて再生することにより、前記再生専用光ディスクに前記コンテンツ情報が記録された際の正常動作が確認される。このため、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００３３】
【発明の実施の形態】
（第１の実施形態）
図１は、本発明に係る光ディスク作成システムの一実施形態を示す系統構成図である。
【００３４】
本実施形態は、ＨＤＤ（ハードディスク）装置１２ａおよび大容量光ディスク装置１２ｂを有する記憶手段１２と制御手段１１とを備えるオーサリング用コンピュータ１０と、コンテンツデータのオーサリング処理によって作成されたマスターデータからプレス処理を行うプレス処理装置２１を備えるプレス処理工場２０とから構成されている。
【００３５】
オーサリング用コンピュータ１０は、作成された動画等のコンテンツデータのオーサリング処理を行い、プレスＤＶＤを作成する際のマスターデータを作成する。このオーサリング用コンピュータ１０のＨＤＤ装置１２ａは、オペレーティングシステムおよびオーサリングプログラムを含む各種プログラムと、コンテンツデータ等を記憶している。制御手段１１は、コンテンツデータのオーサリング処理を行ったり、大容量光ディスク装置１２ｂに記憶されたコンテンツデータの動作確認等を行う。大容量光ディスク装置１２ｂは、ＨＤＤで編集されたコンテンツデータをディスクイメージデータとして書き込むための例えば１層構造の光ディスクであり、作成するプレスＤＶＤと同等の容量かそれ以上の容量の光ディスクを用いる。例えば、容量が２７〜５０ＧＢの記憶容量からなる光ディスクである。なお、可能であれば複数層構造の書き込み・書き換え可能な光ディスクを用いてもよい。
【００３６】
プレス処理工場２０のプレス処理装置２１は、大容量光ディスク装置１２ｂに記憶されたコンテンツデータからプレスＤＶＤを作成する。
【００３７】
次に、ＨＤＤ装置１２ａに記憶されているオーサリングプログラムを含む各種プログラムを用いた光ディスク動作確認方法および光ディスク作成方法について説明する。Ｓ１で、予め作成されたコンテンツデータをオーサリング用コンピュータ１０に入力し、制御手段１１によってコンテンツデータのオーサリング処理を行う。Ｓ２で、オーサリング用コンピュータ１０の制御手段１１は、オーサリング処理がされたコンテンツデータを大容量光ディスク装置１２ｂに記録（記憶）する。この際、プレスＤＶＤを作成する際に用いる情報として以下の情報も記録する。記憶される情報は、各プレスＤＶＤの構成情報（後述）であり、さらに、プレスＤＶＤが複数枚からなる場合は、それぞれのプレスＤＶＤを識別するための識別情報も含まれることもある。以下、これらの情報を含めてコンテンツデータと称す。
【００３８】
Ｓ３で、大容量光ディスク装置１２ｂに記録されたコンテンツデータの動作確認を行う。大容量光ディスク装置１２ｂは、プレスＤＶＤと同じディスクメディアであるので、大容量光ディスク装置１２ｂに記録されたコンテンツデータを動作（再生）させることによって、コンテンツデータがプレスされたプレスＤＶＤの動作と同じ動作を確認することができる。Ｓ４で、動作確認が終わったコンテンツデータが記録された大容量光ディスク装置１２ｂのコンテンツデータからプレス処理工場２０のプレス処理装置２１によってプレス処理を行い、プレスＤＶＤを作成する。
【００３９】
次に、コンテンツデータが記録された大容量光ディスク装置１２ｂに記録されたコンテンツデータ（ディスクイメージ）のデータ構造の一実施形態を図３に示す。コンテンツデータとしては、例えば、動画データ３０、プレスＤＶＤの構成情報３１および複数のプレスＤＶＤを識別するための識別情報３２が記録されている。
【００４０】
動画データ３０は、実際の映画等の動画像が記録されているデータであり、一般的には１ＧＢ前後のファイルサイズに分割されているが、単一のファイルであってもよい。プレスＤＶＤの構成情報３１は、例えば、プレスＤＶＤのデータ層の情報（例えば片面２層）、プレスＤＶＤの総容量のデータ（例えば９．６ＧＢ）等である。識別情報３２は、大容量光ディスク装置１２ｂに記録されているコンテンツデータが複数枚のプレスＤＶＤ分のデータが記憶されている場合に用いる複数のプレスＤＶＤを識別するためのデータである。例えば、９．４ＧＢのプレスＤＶＤおよび７ＧＢのプレスＤＶＤのコンテンツデータの両方が大容量光ディスク装置１２ｂに記録されている場合には、どのコンテンツデータがどちらのプレスＤＶＤ用のコンテンツデータであるかを識別するための情報である。
【００４１】
以上、本実施形態を用いることにより、オーサリング後のコンテンツデータを大容量光ディスク装置に記録して、この大容量光ディスク装置に記録されたコンテンツデータからプレスＤＶＤを作成することにより、従来のコンテンツデータを記録したテープメディア等の記録媒体ではできなかったプレスＤＶＤを作成する前に、当該プレスＤＶＤに記録するためのコンテンツデータをディスクメディア上で予め動作確認をすることができ、プレス処理を行う前にコンテンツデータ等の不具合を発見できるため、プレスＤＶＤの作成効率を向上させることができる。
【００４２】
また、上述した実施形態では、プレスＤＶＤの片面に対しての記録の実施形態について説明したが、プレスＤＶＤの構成情報３１に両面１層や両面２層という情報を記録することで、プレスＤＶＤの両面に記録するコンテンツデータを大容量光ディスク装置１２ｂに記録することができる。
【００４３】
さらに、上述した実施形態では、ディスクイメージのファイル構成を図３に示すように、動画データ３０，プレスＤＶＤの構成情報３１，複数枚のプレスＤＶＤを識別するための識別情報３２としているが、これらの名称や位置、情報の内容は、整合性が取れれば、必要に応じて変更することができ、例えば、動画データ３０、プレスを行うためのプレスするデータそのものの情報（ディスクデータそのもの）３１、ディスクを構成する層・容量等の構成情報３２等とすることもでき、上述した実施形態に限定されることなく、柔軟に変更等が可能であることは勿論である。
【００４４】
【発明の効果】
請求項１の発明によれば、プレスＤＶＤを作成する前に、当該プレスＤＶＤに記録するためのコンテンツデータが記録されているディスクメディア上で予め動作確認をすることができる。
【００４５】
請求項２の発明によれば、２層構造のプレスＤＶＤを作成する前に、当該プレスＤＶＤに記録するためのコンテンツデータが記録されているプレスＤＶＤよりも容量の大きい光ディスクメディア上で予め動作確認をすることができる。
【００４６】
請求項３の発明によれば、２層構造のプレスＤＶＤを作成する前に、当該プレスＤＶＤに記録するためのコンテンツデータが記録されているプレスＤＶＤよりも容量の大きい光ディスクメディア上で予め動作確認をすることができる。
【００４７】
請求項４の発明によれば、複数のプレスＤＶＤを作成する前に、これらのプレスＤＶＤに記録するためのコンテンツデータよりも容量の大きい光ディスクメディア上で予めコンテンツデータの動作確認をすることができる。
【００４８】
請求項５の発明によれば、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００４９】
請求項６の発明によれば、２層構造のプレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００５０】
請求項７の発明によれば、２層構造のプレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００５１】
請求項８の発明によれば、複数のプレスＤＶＤを作成する前に、これらのプレスＤＶＤに記録するためのコンテンツデータが記録されているプレスＤＶＤよりも容量の大きい光ディスクメディア上で予め動作確認をした上でプレスＤＶＤを作成することができる。
【００５２】
請求項９の発明によれば、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００５３】
請求項１０の発明によれば、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００５４】
請求項１１の発明によれば、２層構造のプレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【００５５】
請求項１２の発明によれば、複数のプレスＤＶＤを作成する前に、これらのプレスＤＶＤに記録するためのコンテンツデータが記録されているプレスＤＶＤよりも容量の大きい光ディスクメディア上で予め動作確認をした上でプレスＤＶＤを作成することができる。
【００５６】
請求項１３の発明によれば、プレスＤＶＤを作成する前に、当該プレスＤＶＤに記録するためのコンテンツデータが記録されているプレスＤＶＤよりも容量の大きい光ディスクメディア上で予め動作確認をした上でプレスＤＶＤを作成することができる。
【図面の簡単な説明】
【図１】本発明の一実施形態に係る光ディスク動作確認方法および光ディスク作成方法を適用した光ディスク作成システムを示す系統構成図。
【図２】本発明の一実施形態に係る光ディスク動作確認方法および光ディスク作成方法を適用した光ディスク作成プログラムの一連の処理を示すフローチャート。
【図３】大容量光ディスク装置内に記憶されたコンテンツデータのデータ構成の一実施形態を示す図。
【符号の説明】
１０…オーサリング用コンピュータ、１１…制御手段、１２ａ…ＨＤＤ装置、１２ｂ…大容量光ディスク装置、１２…記憶手段、２０…プレス処理工場、２１…プレス処理装置、３０…動画データ、３１…構成情報、３２…識別情報
【図１】
2004295979.tif 000003
【図２】
2004295979.tif 000004
【図３】
2004295979.tif 000005